(57)【要約】  無線端末（２）は、第１のＲＲＣ状態、第２のＲＲＣ状態、及び第３のＲＲＣ状態の間での無線端末（２）の状態遷移を制御する。無線端末（２）は、さらに、もし無線端末（２）が第２のＲＲＣ状態であり、且つもし無線端末（２）がキャンプオンしている現在セルが第１のＲＲＣ状態から第２のＲＲＣ状態への遷移が行われた第１のセルと異なり、且つもし現在セルが所定の条件を満たすなら、無線端末（２）が第１のＲＲＣ状態になる前にアップリンクデータを送信する第１の送信手順によって送信データを現在セルにおいて送信することを許可する。
2018128021.tif 000002
【特許請求の範囲】
【請求項１】
無線端末であって、
トランシーバと、
無線アクセスネットワーク（RAN）に関連付けられた１又は複数のセルで前記トランシーバを制御するよう構成された少なくとも１つのプロセッサと、
を備え、
前記少なくとも１つのプロセッサは、第１のRRC状態、第２のRRC状態、及び第３のRRC状態の間での前記無線端末の状態遷移を制御するよう構成され、
前記第１のRRC状態は、前記無線端末及び前記RANがアクセス層（Access stratum（AS））コンテキストを維持する状態であり、且つ前記無線端末の位置がセルのレベルで前記RANによって知られている状態であり、
前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態であり、
前記第３のRRC状態は、前記無線端末及び前記RANが前記ASコンテキストを解放している状態であり、且つ前記無線端末の位置が前記RANによって知られていない状態であり、
前記少なくとも１つのプロセッサは、さらに、もし前記無線端末が前記第２のRRC状態であり、且つもし前記無線端末がキャンプオンしている現在セルが前記第１のRRC状態から前記第２のRRC状態への遷移が行われた第１のセルと異なり、且つもし前記現在セルが所定の条件を満たすなら、前記無線端末が前記第１のRRC状態になる前にアップリンクデータを送信する第１の送信手順によって送信データを前記現在セルにおいて送信することを許可するよう構成されている、
無線端末。
【請求項２】
前記所定の条件は、前記現在セルが前記第１のセルと同じ基地局によって管理されているとの条件を含む、
請求項１に記載の無線端末。
【請求項３】
前記少なくとも１つのプロセッサは、前記現在セルが前記第１のセルと同じ基地局によって管理されているか否かを判定するために、前記現在セルにおいて受信した前記現在セル又は前記現在セルを管理する基地局の識別子を、前記第１のセル又は前記第１のセルを管理する基地局の識別子と比較するよう構成されている、
請求項２に記載の無線端末。
【請求項４】
前記所定の条件は、前記現在セルが、前記第１のRRC状態から前記第２のRRC状態へ遷移するときに前記無線端末が前記第１のセルの基地局によって指定された少なくとも１つの特定のセルに含まれるとの条件を含む、
請求項１〜３のいずれか１項に記載の無線端末。
【請求項５】
前記少なくとも１つの特定のセルは、前記RAN通知エリアを構成する少なくとも１つのセルのサブセットである、
請求項４に記載の無線端末。
【請求項６】
前記少なくとも１つの特定のセルは、前記RAN通知エリアを構成する少なくとも１つのセルと同一である、
請求項４に記載の無線端末。
【請求項７】
前記少なくとも１つのプロセッサは、もし前記現在セルが前記所定の条件を満たさないなら、前記第１の送信手順によって前記現在セルにおいて送信することを許可せず、前記無線端末が前記第２のRRC状態から前記第１のRRC状態になった後にアップリンクデータを送信する第２の送信手順によって前記送信データを前記現在セルにおいて送信することを許可するよう構成されている、
請求項１〜６のいずれか１項に記載の無線端末。
【請求項８】
前記少なくとも１つのプロセッサは、もし前記無線端末が前記第２のRRC状態であり、且つもし前記現在セルが前記RAN通知エリアに属しておらず、且つ前記RAN通知エリアの更新手順が実行されていないなら、前記更新手順を行った後に又は前記更新手順内において前記第１又は第２の送信手順による前記現在セルでの前記送信データの送信を許可するよう構成されている、
請求項７に記載の無線端末。
【請求項９】
前記第１の送信手順では、前記無線端末は、前記第１のRRC状態に遷移すること無く前記送信データを送信する、
請求項１〜８のいずれか１項に記載の無線端末。
【請求項１０】
前記第１の送信手順では、前記無線端末は、前記第２のRRC状態から前記第１のRRC状態に遷移する手順の間に、前記送信データを送信する、
請求項１〜９のいずれか１項に記載の無線端末。
【請求項１１】
前記第１の送信手順では、前記無線端末は、前記第２のRRC状態に留まったままで前記送信データを送信する、
請求項１〜９のいずれか１項に記載の無線端末。
【請求項１２】
前記RAN通知エリアは、前記無線端末が前記第２のRRC状態であるときにセル再選択によってセル間を移動しても前記セル再選択を前記RANに報告しなくてもよいエリアである、
請求項１〜１１のいずれか１項に記載の無線端末。
【請求項１３】
無線アクセスネットワーク（RAN）に配置される基地局であって、
メモリと、
少なくとも１つのプロセッサと、
を備え、
前記少なくとも１つのプロセッサは、第１のRRC状態、第２のRRC状態、及び第３のRRC状態の間での無線端末の状態遷移を制御するよう構成され、
前記第１のRRC状態は、前記無線端末及び前記RANがアクセス層（Access stratum（AS））コンテキストを維持する状態であり、且つ前記無線端末の位置がセルのレベルで前記RANによって知られている状態であり、
前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態であり、
前記第３のRRC状態は、前記無線端末及び前記RANが前記ASコンテキストを解放している状態であり、且つ前記無線端末の位置が前記RANによって知られていない状態であり、
前記少なくとも１つのプロセッサは、さらに、前記第１のRRC状態になる前にアップリンクデータを送信する第１の送信手順が前記第２のRRC状態である前記無線端末に許可される少なくとも１つの特定のセルを示す設定情報を、前記無線端末に送信するよう構成されている、
基地局。
【請求項１４】
前記少なくとも１つのプロセッサは、前記基地局によって運用される第１のセルにおいて前記無線端末が前記第１のRRC状態から前記第２のRRC状態へ遷移するときに、前記設定情報を前記無線端末に送信するよう構成されている、
請求項１３に記載の基地局。
【請求項１５】
前記少なくとも１つの特定のセルは、前記第１のセルと同じ前記基地局によって運用される少なくとも１つのセルであり、
前記設定情報は、前記基地局によって運用される少なくとも１つのセルを示すセルリストを含む、
請求項１４に記載の基地局。
【請求項１６】
前記少なくとも１つの特定のセルは、前記RAN通知エリアを構成する少なくとも１つのセルのサブセットであり、
前記設定情報は、前記RAN通知エリアに含まれる各セルが前記少なくとも１つの特定のセルに含まれるか否かを示す、
請求項１４に記載の基地局。
【請求項１７】
無線端末における方法であって、
第１のRRC状態、第２のRRC状態、及び第３のRRC状態の間での前記無線端末の状態遷移を制御すること、及び
もし前記無線端末が前記第２のRRC状態であり、且つもし前記無線端末がキャンプオンしている現在セルが前記第１のRRC状態から前記第２のRRC状態への遷移が行われた第１のセルと異なり、且つもし前記現在セルが所定の条件を満たすなら、前記無線端末が前記第１のRRC状態になる前にアップリンクデータを送信する第１の送信手順によって送信データを前記現在セルにおいて送信することを許可すること、
を備え、
前記第１のRRC状態は、前記無線端末及び無線アクセスネットワーク（RAN）がアクセス層（Access stratum（AS））コンテキストを維持する状態であり、且つ前記無線端末の位置がセルのレベルで前記RANによって知られている状態であり、
前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態であり、
前記第３のRRC状態は、前記無線端末及び前記RANが前記ASコンテキストを解放している状態であり、且つ前記無線端末の位置が前記RANによって知られていない状態である、
方法。
【請求項１８】
無線アクセスネットワーク（RAN）に配置される基地局における方法であって、
第１のRRC状態、第２のRRC状態、及び第３のRRC状態の間での無線端末の状態遷移を制御すること、及び
前記第１のRRC状態になる前にアップリンクデータを送信する第１の送信手順が前記第２のRRC状態である前記無線端末に許可される少なくとも１つの特定のセルを示す設定情報を、前記無線端末に送信すること、
を備え、
前記第１のRRC状態は、前記無線端末及び前記RANがアクセス層（Access stratum（AS））コンテキストを維持する状態であり、且つ前記無線端末の位置がセルのレベルで前記RANによって知られている状態であり、
前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態であり、
前記第３のRRC状態は、前記無線端末及び前記RANが前記ASコンテキストを解放している状態であり、且つ前記無線端末の位置が前記RANによって知られていない状態である、
方法。
【請求項１９】
無線端末における方法をコンピュータに行わせるためのプログラムを格納した非一時的なコンピュータ可読媒体であって、
前記方法は、
第１のRRC状態、第２のRRC状態、及び第３のRRC状態の間での前記無線端末の状態遷移を制御すること、及び
もし前記無線端末が前記第２のRRC状態であり、且つもし前記無線端末がキャンプオンしている現在セルが前記第１のRRC状態から前記第２のRRC状態への遷移が行われた第１のセルと異なり、且つもし前記現在セルが所定の条件を満たすなら、前記無線端末が前記第１のRRC状態になる前にアップリンクデータを送信する第１の送信手順によって送信データを前記現在セルにおいて送信することを許可すること、
を備え、
前記第１のRRC状態は、前記無線端末及び無線アクセスネットワーク（RAN）がアクセス層（Access stratum（AS））コンテキストを維持する状態であり、且つ前記無線端末の位置がセルのレベルで前記RANによって知られている状態であり、
前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態であり、
前記第３のRRC状態は、前記無線端末及び前記RANが前記ASコンテキストを解放している状態であり、且つ前記無線端末の位置が前記RANによって知られていない状態である、
非一時的なコンピュータ可読媒体。
【請求項２０】
無線アクセスネットワーク（RAN）に配置される基地局における方法をコンピュータに行わせるためのプログラムを格納した非一時的なコンピュータ可読媒体であって、
前記方法は、
第１のRRC状態、第２のRRC状態、及び第３のRRC状態の間での無線端末の状態遷移を制御すること、及び
前記第１のRRC状態になる前にアップリンクデータを送信する第１の送信手順が前記第２のRRC状態である前記無線端末に許可される少なくとも１つの特定のセルを示す設定情報を、前記無線端末に送信すること、
を備え、
前記第１のRRC状態は、前記無線端末及び前記RANがアクセス層（Access stratum（AS））コンテキストを維持する状態であり、且つ前記無線端末の位置がセルのレベルで前記RANによって知られている状態であり、
前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態であり、
前記第３のRRC状態は、前記無線端末及び前記RANが前記ASコンテキストを解放している状態であり、且つ前記無線端末の位置が前記RANによって知られていない状態である、
非一時的なコンピュータ可読媒体。
【発明の詳細な説明】
【技術分野】
【０００１】
本開示は、無線通信システムに関し、特に無線端末の送信制御に関する。
【背景技術】
【０００２】
3rd Generation Partnership Project（3GPP）は、2020年以降の導入に向けた第5世代移動通信システム（5G）の標準化作業を3GPP Release 14として2016年に開始している（非特許文献１を参照）。5Gは、LTE及びLTE-Advancedの継続的な改良・発展（enhancement/evolution）と新たな5Gエア・インタフェース（新たなRadio Access Technology（RAT））の導入による革新的な改良・発展の組合せで実現されると想定されている。新たなRATは、例えば、LTE/LTE-Advancedの継続的発展が対象とする周波数帯（e.g., 6 GHz以下）よりも高い周波数帯、例えば10 GHz以上のセンチメートル波帯及び30 GHz以上のミリ波帯をサポートする。【０００３】
本明細書では、第5世代移動通信システムは、5G System、又はNext Generation (NextGen) System（NG System）とも呼ばれる。5G Systemのための新たなRATは、New Radio（NR）、5G RAT、又はNG RATと呼ばれる。5G Systemのための新たな無線アクセスネットワーク（Radio Access Network（RAN））は、5G-RAN又はNextGen RAN（NG RAN）と呼ばれる。5G-RAN 内の新たな基地局は、NR NodeB（NR NB）又はgNodeB（gNB）と呼ばれる。5G Systemのための新たなコアネットワークは、5G Core Network（5G-CN）又はNextGen Core（NG Core）と呼ばれる。5G Systemに接続する無線端末（User Equipment（UE））は、5G UE、NextGen UE（NG UE）又は単にUEと呼ばれる。5G SystemのためのRAT、UE、無線アクセスネットワーク、コアネットワーク、ネットワーク・エンティティ（ノード）、及びプロトコルレイヤ等の正式な名称は、標準化作業が進む過程で将来的に決定されるであろう。【０００４】
また、本明細書で使用される“LTE”との用語は、特に断らない限り、5G Systemとのインターワーキングを可能とするためのLTE及びLTE-Advancedの改良・発展を含む。5G System とのインターワークのためのLTE及びLTE-Advancedの改良・発展は、LTE-Advanced Pro、LTE+、又はenhanced LTE（eLTE）とも呼ばれる。さらに、本明細書で使用される“Evolved Packet Core (EPC)”、“Mobility Management Entity (MME)”、“Serving Gateway (S-GW)”、及び“Packet Data Network (PDN) Gateway (P-GW)”等のLTEのネットワーク又は論理的エンティティに関する用語は、特に断らない限り、5G Systemとのインターワーキングを可能とするためのこれらの改良・発展を含む。改良されたEPC、MME、S-GW、及びP-GWは、例えば、enhanced EPC（eEPC）、enhanced MME（eMME）、enhanced S-GW（eS-GW）、及びenhanced P-GW（eP-GW）とも呼ばれる。【０００５】
LTE及びLTE-Advancedでは、Quality of Service（QoS）及びパケットルーティングのために、QoSクラス毎且つPDNコネクション毎のベアラがRAN（i.e., Evolved Universal Terrestrial RAN（E-UTRAN））及びコアネットワーク（i.e., EPC）の両方で使用される。すなわち、Bearer-based QoS（or per-bearer QoS）コンセプトでは、UEとEPC内のP-GWとの間に１又は複数のEvolved Packet System (EPS) bearersが設定され、同じQoSクラスを持つ複数のサービスデータフロー（Service Data Flows（SDFs））はこれらのQoSを満足する１つのEPS bearerを通して転送される。SDFは、Policy and Charging Control (PCC) ルールに基づくSDFテンプレート（i.e., packet filters）にマッチする１又は複数のパケットフローである。また、パケットルーティングのために、EPS bearerを通って送られる各パケットは、このパケットがどのベアラ（i.e., General Packet Radio Service (GPRS) Tunneling Protocol（GTP）トンネル）に関連付けられているかを見分ける（identify）ための情報を包含する。【０００６】
これに対して、5G Systemでは、無線ベアラが5G-RAN において使用されるかもしれないが、5G-CN内及び5G-CNと5G-RANの間のインタフェースにおいてベアラは使用されないことが検討されている（非特許文献１を参照）。具体的には、EPS bearerの代わりにPDU flowsが定義され、１又は複数のSDFsは、１又は複数のPDU flowsにマップされる。5G UEとNG Core内のユーザプレーン終端エンティティ（i.e., EPC内のP-GWに相当するエンティティ）との間のPDU flowは、EPS Bearer-based QoSコンセプトにおけるEPSベアラに相当する。すなわち、5G Systemは、Bearer-based QoSコンセプトの代わりにFlow-based QoS（or per-flow QoS）コンセプトを採用する。Flow-based QoS コンセプトでは、QoSはPDU flow単位で取り扱われる（handled）。そのため、PDU flowはQoS flowとも呼ばれる。なお、5G UEとデータネットワークとの間の関連付け（association）は、PDUセッション（PDU session）と呼ばれる。PDUセッションは、LTE及びLTE-AdvancedのPDNコネクション（PDN connection）に相当する用語である。複数のPDU flows（又はQoS flows）が１つのPDUセッション内に設定されることができる。【０００７】
さらに、5G Systemがnetwork slicingをサポートすることも検討されている（非特許文献１を参照）。Network slicingは、Network Function Virtualization（NFV）技術及びsoftware-defined networking（SDN）技術を使用し、複数の仮想化された論理的なネットワークを物理的なネットワークの上に作り出すことを可能にする。各々の仮想化された論理的なネットワークは、ネットワークスライス（network slice）又はネットワークスライス・インスタンス（network slice instance）と呼ばれ、論理的なノード（nodes）及び機能（functions）を含み、特定のトラフィック及びシグナリングのために使用される。5G-RAN若しくは5G-CN又はこれら両方は、Slice Selection Function（SSF）を有する。SSFは、5G UE及び5G-CNの少なくとも一方によって提供される情報に基づいて、当該5G UEのために適した１又は複数のネットワークスライスを選択する。【０００８】
図１は、5G systemの基本アーキテクチャを示している。UEは、gNBとの間に１又はそれ以上のシグナリング無線ベアラ（Signalling Radio Bearers（SRBs））及び１又はそれ以上のデータ無線ベアラ（Data Radio Bearers（DRBs））を確立する。5G-CN及びgNBは、UEのためのコントロールプレーン・インタフェース及びユーザプレーン・インタフェースを確立する。5G-CNとgNB（i.e., RAN）の間のコントロールプレーン・インタフェースは、NG2インタフェース又はNG-cインタフェースと呼ばれ、Non-Access Stratum（NAS）情報の転送、及び5G-CNとgNB間の制御情報の転送に使用される。5G-CNとgNB（i.e., RAN）の間のユーザプレーン・インタフェースは、NG3インタフェース又はNG-uインタフェースと呼ばれ、UEのPDUセッション内の１又はそれ以上のPDU flows（又はQoS flows）のパケット（packets）の転送に使用される。【０００９】
さらにまた、5G System では、RRC_CONNECTED状態及びRRC_IDLE状態に加えて、新たなRRC状態が導入される（例えば、非特許文献１−５を参照）。新たなRRC状態は、RRC_INACTIVE状態またはRRC_INACTIVE_CONNECTED状態と呼ばれる。【００１０】
5G SystemのRRC_CONNECTED状態及びRRC_IDLE状態は、LTEのRRC_CONNECTED状態及びRRC_IDLE状態とそれぞれ同様の特徴を持つ。UEがRRC_CONNECTED状態であるとき、UE及び5G-RANがASコンテキストを維持し、UEの位置がセルレベルで5G-RANによって知られている。RRC_CONNECTED状態であるUEのモビリティは、5G-RANによって制御されるハンドオーバにより取り扱われる。一方、UEがRRC_IDLE状態であるとき、UE及び5G-RANがASコンテキストを解放しており、UEの位置が5G-RANによって知られておらず、UEの位置が5G-CNによってロケーション登録エリア・レベルで知られている。ロケーション登録エリアは、LTEのトラッキングエリア（Tracking Area (TA)）に相当する。RRC_IDLE状態であるUEのモビリティは、UEによって制御されるセル再選択により取り扱われる。さらに、ASレイヤのRRC状態は、NASレイヤのコネクション管理（NG Connection Management（NG CM））状態と関連付けられる。RRC_CONNECTED状態であるUEは、UE及び5G-CNにおいてNG-CM-CONNECTED状態であると考えられる。一方、RRC_IDLE状態であるUEは、UE及び5G-CNにおいてNG-CM-IDLE状態であると考えられる。【００１１】
RRC_INACTIVE状態は、RRC_CONNETED状態とRRC_IDLE状態の間の中間的な状態であると言うことができる。RRC_INACTIVE状態の幾つかの特徴はRRC_CONNETED状態のそれらと類似するが、RRC_INACTIVE状態の他の幾つかの特徴はRRC_IDLE状態のそれらと類似する。【００１２】
UEがRRC_INACTIVE状態であるとき、UE及び5G-RANがASコンテキストの少なくとも一部を維持する。RRC_INACTIVE状態であるUEのためにUE及び5G-RANにより保持されるASコンテキストは、例えば、無線ベアラ設定、及びASセキュリティ・コンテキストを含む。さらに、5G-RANは、RRC_INACTIVE状態のUEのための5G-CNとのコントロールプレーン及びユーザプレーン・コネクション（i.e., 図１のNG2及びNG3インタフェース）を確立したまま維持する。RRC_INACTIVE状態であるUEは、UE及び5G-CNにおいてNG-CM-CONNECTED状態であると考えられる。すなわち、5G-CNは、UEがRRC_CONNECTED状態であるか又はRRC_INACTIVE状態であるかを区別しない。RRC_INACTIVE状態のこれらの特徴は、RRC_CONNETED状態の特徴と類似する。【００１３】
しかしながら、RRC_INACTIVE状態であるUEのモビリティは、RRC_IDLE状態であるUEのそれと類似する。すなわち、RRC_INACTIVE状態であるUEのモビリティは、UEによって制御されるセル再選択により取り扱われる。【００１４】
図２は、現在提案されている３つのRRC状態の間の状態遷移を示している。UEは、RRC_CONNECTED状態とRRC_INACTIVE状態との間で相互に遷移できる（ステップ２０１及び２０２）。RRC_CONNECTED状態とRRC_INACTIVE状態との間の遷移は、LTEのために3GPP Release 13において規定されたRRCコネクションの保留（Suspend）及び再開（Resume）手順を再利用することが想定されている。RRC_INACTIVE状態であるUEのために5G-RAN内にストアされているASコンテキストは、RANノード間（gNBs間）で転送されることができる。具体的には、UEがRRC_INACTIVE状態からRRC_CONNECTED状態に遷移する際に、当該UEからのRRCメッセージ（e.g., RRC Connection Resume request）を受信したgNBは、当該UEのASコンテキストを他のgNBから取得（fetch/retrieve）してもよい。【００１５】
RRC_INACTIVE状態であるUEの位置は、新たに定義されるRAN通知エリア（RAN Notification Area（RNA））のレベルで5G-RANによって知られている。RAN通知エリアは、RAN-based Notification Area、RAN paging area、又はRAN location update areaとも呼ばれる。RAN通知エリア（RNA）は、１又はそれ以上のセルを含み、5G-RANにより決定され、5G-RANによりUEに設定される。RRC_INACTIVE状態のUEは、RAN通知エリア内でセル再選択によりセル間を移動しても5G-RANにセル再選択を行ったことを通知（報告）する必要がない。RRC_INACTIVE状態のUEは、RAN通知エリア外のセルを再選択した場合に、5G-RANにRAN通知エリアの更新を要求する。【００１６】
図３は、RRC_INACTIVE状態であるUEのモビリティの例を示している。初めに、UE３０１は、gNB３１１のセル３５１でRRC_CONNECTED状態（３２１）であり、gNB３１１から個別（dedicated）無線リソースを割り当てられ、個別無線ベアラ（dedicated radio bearers）３２２を確立している。gNB３１１は、UE３０１のRRC_INACTIVE状態への遷移を決定し、RAN通知エリア３４０をUE３０１に設定し、RRCメッセージ（e.g., RRC Suspendメッセージ）をUE３０１に送信する（３２３）。gNB３１１からの指示に応答して、UE３０１は、RRC_CONNECTED状態からRRC_INACTIVE状態に入る（３２４）。【００１７】
RRC_INACTIVE状態であるUE３０１は、セル再選択手順を実行し、gNB３１２のセル３５２を再選択する（３２５）。セル３５２はUE３０１に設定されているRAN通知エリア３４０に含まれるため、UE３０１は、セル再選択（つまりUE位置情報の更新）を5G-RAN（e.g., セル３５２又はgNB３１２）に報告しない。UE３０１はさらに移動し、gNB３１３のセル３５３を再選択する（３２６）。セル３５３はUE３０１に設定されているRAN通知エリア３４０に含まれていないため、UE３０１は、RAN通知エリア更新の要求（３２７）をgNB３１３に送信する。当該要求（３２７）は、RRC_INACTIVEからRRC_CONNECTEDへの遷移を要求するRRCメッセージ（e.g., RRC Resume Requestメッセージ）を用いて送信されてもよい。gNB３１３は、gNB３１１からUE３０１のASコンテキストを取得し、取得したASコンテキストを用いて無線ベアラのためのPacket Data Convergence Protocol（PDCP）及びRadio Link Control（RLC）を再確立する。そして、gNB３１３は、UE３０１をRRC_CONNECTED状態に遷移させるためにRRCメッセージ（e.g., RRC resumeメッセージ）を送信する。gNB３１１からの指示に応答して、UE３０１は、セル３５３において、RRC_INACTIVE状態からRRC_CONNECTED状態に入る（３２９）。UE３０１は、個別無線ベアラ（dedicated radio bearers）３３０を使用してデータを送信し且つ受信することができる。【００１８】
RRC_INACTIVE状態であるUEのアップリンク（uplink（UL））データ送信について幾つかの提案がある。例えば、非特許文献２及び３は、RRC_INACTIVE状態であるUEが、RRC_CONNECTED状態に入ること無くULデータを送信する手順を提案している。なお、本明細書で使用される“ULデータ”との用語とは、アップリンク・ユーザプレーン・データを意味し、Non-Access Stratum（NAS）メッセージ等のコントロールプレーン・データを含まない。【００１９】
具体的には、非特許文献２は、RRC_INACTIVE状態であるUEが、grant-free無線リソースを使用して、gNBからのUL grantを必要とすることなくULデータ送信を行う手順を開示している（図４を参照）。例えば、各セルは自身のgrant-free無線リソース（resources）をシステム情報（System Information（SI））においてブロードキャストし、UEは自身の固有のRAN UE IDから導出されるリソース（resource）を選択する。【００２０】
一方、非特許文献３は、UEが、ランダムアクセス手順の第３メッセージ（Message 3（Msg3））、つまりRRCメッセージ（e.g., RRC Connection Resume Request）と同時に（simultaneously）ULデータを送信する手順を開示している（図５を参照）。非特許文献３の手順においてgNBがULデータを受信した場合、gNBは、RRC_INACTIVE状態に留まるようUEに指示することもできるし、RRC_CONNECETD状態に入るよう指示することもできる。gNBは、UEをRRC_INACTIVE状態に留める場合に“RRC suspend”を示すRRC応答をUEに送り、UEをRRC_CONNECTED状態に遷移させる場合に“RRC resume”を示すRRC応答をUEに送る。すなわち、非特許文献３に示された手順は、UEが完全に（fully）RRC_CONNECTED状態に入ることなくULデータを送信する手順であると言うことができる。あるいは、非特許文献３に示された手順は、UEがRRC_CONNECTED状態になる前にULデータを送信する手順であると言うこともできる。
【先行技術文献】
【非特許文献】
【００２１】
【非特許文献１】3GPP TR 23.799 V14.0.0 (2016-12) “3rd Generation Partnership Project; Technical Specification Group Services and System Aspects; Study on Architecture for Next Generation System (Release 14)”, December 2016
【非特許文献２】3GPP R2-168544, Huawei, HiSilicon, “UL data transmission in RRC_INACTIVE”, 3GPP TSG-RAN WG2 Meeting #96, Reno, USA 14th-18th November 2016
【非特許文献３】3GPP R2-168713, Ericsson, “Baseline solution for small data transmission in RRC_INACTIVE”, 3GPP TSG-RAN WG2 Meeting #96, Reno, USA 14th-18th November 2016
【発明の概要】
【発明が解決しようとする課題】
【００２２】
本件発明者等は、RRC_INACTIVE状態でのULデータ送信に関して検討を行い、幾つかの課題を見出した。例えば、RRC_INACTIVE状態でのULデータ送信がUE２が希望するときにいつでも行われることは適切でないかもしれない。すなわち、１つの課題は、どこで又はいつUEがRRC_INACTIVE状態でのULデータ送信を許可されるかを決定することである。【００２３】
一例として、UE３０１がRRC_INACTIVE状態でのULデータ送信（例えば、非特許文献２又は３に示された送信手順）を図３のセル３５２において行ったが、gNB３１２が何らかの問題によりULデータの受信に成功しないことが考えられる。例えば、gNB３１２がUE３０１のASコンテキストをgNB３１１から取得することに成功しなかった場合に、gNB３１２はULデータの受信に失敗するかもしれない。あるいは、gNB３１２は、取得したASコンテキストを用いたデータ受信に失敗するかもしれない（例えばASセキュリティ・コンテキストに基づくULデータの復号化（decryption）に失敗した場合）。これらの場合、UEの送信電力が無駄に消費されるかもしれない。さらに、UE３０１がセル３５２又は他のセルに再接続する必要が発生してしまった場合、UE３０１のレイヤ2（e.g., PDCP）が上位レイヤからパケット（e.g., PDCP Service Data Unit (SDU)）を受信してから所定の時間が経過し（つまり遅延が発生し）、当該パケットを廃棄してしまうかもしれない。【００２４】
したがって、本明細書に開示される実施形態が達成しようとする目的の１つは、UEがRRC_INACTIVE状態でのULデータ送信を適切な状況で行うことを可能にする装置、方法、及びプログラムを提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【００２５】
第１の態様では、無線端末は、トランシーバ、及び少なくとも１つのプロセッサを含む。前記少なくとも１つのプロセッサは、無線アクセスネットワーク（RAN）に関連付けられた１又は複数のセルで前記トランシーバを制御するよう構成されている。前記少なくとも１つのプロセッサは、第１のRRC状態、第２のRRC状態、及び第３のRRC状態の間での前記無線端末の状態遷移を制御するよう構成されている。前記第１のRRC状態は、前記無線端末及び前記RANがアクセス層（Access stratum（AS））コンテキストを維持する状態であり、且つ前記無線端末の位置がセルのレベルで前記RANによって知られている状態である。前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態である。前記第３のRRC状態は、前記無線端末及び前記RANが前記ASコンテキストを解放している状態であり、且つ前記無線端末の位置が前記RANによって知られていない状態である。前記少なくとも１つのプロセッサは、さらに、もし前記無線端末が前記第２のRRC状態であり、且つもし前記無線端末がキャンプオンしている現在セル（current cell）が前記第１のRRC状態から前記第２のRRC状態への遷移が行われた第１のセルと異なり、且つもし前記現在セルが所定の条件を満たすなら、前記無線端末が前記第１のRRC状態になる前にアップリンクデータを送信する第１の送信手順によって送信データを前記現在セルにおいて送信することを許可するよう構成されている。【００２６】
第２の態様では、無線アクセスネットワーク（RAN）に配置される基地局は、メモリ、及び前記メモリに結合された少なくとも１つのプロセッサを含む。前記少なくとも１つのプロセッサは、第１のRRC状態、第２のRRC状態、及び第３のRRC状態の間での無線端末の状態遷移を制御するよう構成されている。前記少なくとも１つのプロセッサは、さらに、前記第１のRRC状態になる前にアップリンクデータを送信する第１の送信手順が前記第２のRRC状態である前記無線端末に許可される少なくとも１つの特定のセルを示す設定情報を、前記無線端末に送信するよう構成されている。【００２７】
第３の態様では、無線端末における方法は、（ａ）第１のRRC状態、第２のRRC状態、及び第３のRRC状態の間での前記無線端末の状態遷移を制御すること、及び（ｂ）もし前記無線端末が前記第２のRRC状態であり、且つもし前記無線端末がキャンプオンしている現在セルが前記第１のRRC状態から前記第２のRRC状態への遷移が行われた第１のセルと異なり、且つもし前記現在セルが所定の条件を満たすなら、前記無線端末が前記第１のRRC状態になる前にアップリンクデータを送信する第１の送信手順によって送信データを前記現在セルにおいて送信することを許可すること、を含む。【００２８】
第４の態様では、無線アクセスネットワーク（RAN）に配置される基地局における方法は、（ａ）第１のRRC状態、第２のRRC状態、及び第３のRRC状態の間での無線端末の状態遷移を制御すること、及び（ｂ）前記第１のRRC状態になる前にアップリンクデータを送信する第１の送信手順が前記第２のRRC状態である前記無線端末に許可される少なくとも１つの特定のセルを示す設定情報を、前記無線端末に送信すること、を含む。【００２９】
第５の態様では、プログラムは、コンピュータに読み込まれた場合に、上述の第３又は第４の態様に係る方法をコンピュータに行わせるための命令群（ソフトウェアコード）を含む。
【発明の効果】
【００３０】
上述の態様によれば、UEがRRC_INACTIVE状態でのULデータ送信を適切な状況で行うことを可能にする装置、方法、及びプログラムを提供できる。
【図面の簡単な説明】
【００３１】
【図１】背景技術に係る5G Systemの基本アーキテクチャを示す図である。
【図２】背景技術に係る5G Systemの３つのRRC状態の状態遷移を示す図である。
【図３】背景技術に係るRRC_INACTIVE状態のUEのモビリティの一例を示す図である。
【図４】背景技術に係るRRC_INACTIVE状態でのUL送信手順の一例を示す図である。
【図５】背景技術に係るRRC_INACTIVE状態でのUL送信手順の一例を示す図である。
【図６】幾つかの実施形態に係る無線通信ネットワークの構成例を示す図である。
【図７】第１の実施形態に係るUEの動作の一例を示すフローチャートである。
【図８】第１の実施形態に係るUEの動作の一例を示すフローチャートである。
【図９】第１の実施形態に係るUEの動作の一例を示すフローチャートである。
【図１０】第１の実施形態に係るgNB及びUEの動作の一例を示すシーケンス図である。
【図１１】幾つかの実施形態に係るgNBの構成例を示すブロック図である。
【図１２】幾つかの実施形態に係るUEの構成例を示すブロック図である。
【発明を実施するための形態】
【００３２】
以下では、具体的な実施形態について、図面を参照しながら詳細に説明する。各図面において、同一又は対応する要素には同一の符号が付されており、説明の明確化のため、必要に応じて重複説明は省略される。
【００３３】
以下では、具体的な実施形態について、図面を参照しながら詳細に説明する。各図面において、同一又は対応する要素には同一の符号が付されており、説明の明確化のため、必要に応じて重複説明は省略される。
【００３４】
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００３５】
以下に示される複数の実施形態は、RRC_INACTIVE状態を使用する5G Systemを主な対象として説明される。しかしながら、これらの実施形態は、RRC_INACTIVE状態又はこれと同様のRRC状態を使用する他の無線通信システムに適用されてもよい。
【００３６】
＜第１の実施形態＞
図６は、本実施形態を含む幾つかの実施形態に係る無線通信ネットワークの構成例を示している。図６の例では、無線通信ネットワークは、5G UE２、5G-RAN３、及び5G-CN４を含む。
【００３７】
5G-CN４は、図示されていないコントロールプレーン・ネットワーク機能（Control Plane Network Functions (CP NFs)）及びユーザプレーン・ネットワーク機能（User Plane Network Functions (UP NFs)）を含む。5G-CN４は、複数のネットワークスライスを提供してもよい。複数のネットワークスライスは、例えば、それぞれのネットワークスライス上でUEに提供されるサービス又はユースケースによって区別される。ユースケースは、例えば、広帯域通信（enhanced Mobile Broad Band: eMBB）、高信頼・低遅延通信（Ultra Reliable and Low Latency Communication:  URLLC）、及び多接続M2M通信（massive Machine Type Communication: mMTC）を含む。
【００３８】
5G-RAN３は、gNB１Ａ及びgNB１Ｂを含む複数のgNBを含む。各gNB１（e.g., gNB１Ａ、gNB１Ｂ）は、少なくとも１つのセル１１（e.g., セル１１Ａ、セル１１Ｂ）を運用する。各gNB１は、5G-CN４に接続され、１又はそれ以上のネットワークスライスをサポートしてもよい。言い換えると、１又はそれ以上のネットワークスライスが、各gNB１のセル１１においてサポートされている又は使用可能であってもよい。幾つかの実装において、5G-RAN３は、end-to-endネットワークスライシングをUE２に提供するために、UE２のために選択された5G-CN４のネットワークスライス（Core Network (CN)スライスと呼ぶ）に関連付けられたRANスライス及び無線（radio）スライスをUE２に割り当てる。各RANスライスは、gNB１を含む5G-RAN３内のインフラストラクチャのストレージ及びプロセッシング・リソースを提供する。各無線スライスは、時間リソース、周波数リソース、符号リソース、信号系列リソース、若しくは空間リソース又はこれらの任意の組合せを含む無線リソースを提供する。
【００３９】
UE２は、アップリンク及びダウンリンク通信のために、１又は複数のgNB１によって提供される１又は複数のセル１１を使用する。UE２は、RRC_CONNECTED状態、RRC_INACTIVE状態、及びRRC_IDLE状態を含む複数のRRC状態をサポートする。5G-RAN３（gNB１）及びUE２は、RRC_CONNECTED状態、RRC_INACTIVE状態、及びRRC_IDLE状態を含む複数のRRC状態の間でのUE２の状態遷移を制御する。
【００４０】
例えば、gNB１Ａは、UE２をRRC_CONNECTED状態からRRC_INACTIVE状態に遷移させる場合に、RRCメッセージ（e.g., RRC Connection Release、RRC Connection Suspend、又はRRC Connection Deactivate）でRAN通知エリア情報をUE２に送信し、該UE２にRAN通知エリアを設定する。RAN通知エリアは、１又はそれ以上のgNB１によって提供される１又はそれ以上のセルを含み、UE２は、gNB１Ａからの当該RRCメッセージの受信に応答してRRC_INACTIVE状態に入る。RRC_INACTIVE状態のUE２は、UE２主導のセル再選択によってセル間を移動し、RAN通知エリア内でのセル再選択（つまりUE位置情報の更新）を5G-RAN３に報告することを必要としない。一方、UE２は、設定されたRAN通知エリア外のセル（e.g., セル１１Ｂ）を再選択したことに応答して、再選択されたセル１１ＢのgNB１ＢにRAN通知エリアの更新を要求する（又は、設定されたRAN通知エリアを出たことをgNB１Ｂに通知する）。gNB１Ｂは、UE２のための新たなRAN通知エリアを決定し、決定されたRAN通知エリアをUE２に設定する。すなわち、既に説明したように、RRC_INACTIVE状態のUE２の位置は、RAN通知エリア・レベルで5G-RAN３に知られている。
【００４１】
既に説明したように、RAN通知エリア（RNA）は、１又はそれ以上のセルを含み、5G-RAN３により決定され、5G-RAN３によりUE２に設定される。RAN通知エリアは、RAN-based Notification Area、RAN paging area、又はRAN location update areaとも呼ばれる。
【００４２】
RAN通知エリア情報は、例えば当該RAN通知エリアにどのセルが含まれるかを示す情報を少なくとも含んでもよい。さらに、RAN通知エリアに対して、識別子（e.g., エリア番号）が付与されてもよい。また、RAN通知エリアの識別子（e.g., RNA ID）と、それに包含されるセル（群）の関係は、所定のエリア内において一意に決まるようにされてもよい。この場合、RAN通知エリア情報は、RAN通知エリアの識別子と包含されるセルの情報（e.g., セル識別子）を含んでもよい。
【００４３】
gNB１Ａは、自身のセル１１ＡでRAN通知エリア情報を報知してもよい。このとき、RAN通知エリア情報は複数のRAN通知エリアを含み、それぞれに条件（e.g., カテゴリ、タイプ）が付与され、UE２が自身に該当するRAN通知エリアを選択してもよい。当該条件は、例えばUE２が使用している（又は希望する）ネットワークスライスのスライスカテゴリ若しくはスライスタイプ（e.g., Slice/Service Type: SST）、端末のカテゴリ若しくはタイプ、UE２の受信品質若しくはそれに基づくカバレッジレベル、UE２の移動特性（e.g., UE speed, 静止端末か否か）、又はこれらの任意の組み合わせでもよい。
【００４４】
UE２に設定されるRAN通知エリアは、UE２のロケーション登録エリア（i.e., LTEのトラッキングエリア（TA）に相当するエリア）と同一であってもよい。各ネットワークスライスに個別のRAN通知エリア（i.e. Slice specific RNA）が設定される場合、複数のRAN通知エリアのうち少なくとも１つがロケーション登録エリア（e.g., TA）と同一でもよい。RNAがTAと同じである場合、gNB１からUE２に送信されるRAN通知エリア情報において当該RNAに含まれるセルリストを示す情報要素（e.g., RanAreaCellList Information Element (IE)）が省略されてもよい（つまり、Optional IE）。これに代えて、RAN通知エリア情報は、セルリストを示す情報要素の代わりに、TA識別子を示す情報要素（e.g., TrackingAreaCode IE）を含んでもよい（つまり、Choice）。言い換えると、gNB１は、RAN通知エリアを示すために、RanAreaCellList IE及びTrackingAreaCode IEのいずれか一方を選択してもよい。
【００４５】
RAN通知エリア情報に複数のRAN通知エリアを含めて送信するために、gNB１Ａは、他のgNB（e.g., gNB１Ｂ）からRAN通知エリア情報（e.g., RAN通知エリアの識別子と、RAN通知エリアを構成するセルの識別子との組み合わせ）を、gNB間インタフェース（Xn）を介して受信してもよい。当該他のgNBは、gNB１Ａのセル（e.g., セル１１Ａ）が属するRAN通知エリアとは異なる他のRAN通知エリアに属するセルを管理するgNBであってもよい。同様に他のgNBから受信するRAN通知エリアに関する情報は、gNB１Ａのセル（e.g., セル１１Ａ）が属するRAN通知エリアとは異なる他のRAN通知エリアに関する情報であってもよい。
【００４６】
UE２が複数のネットワークスライスを使用している（又は希望している）場合、UE２は、最も優先度の高いネットワークスライスを基準にRAN通知エリアを選択してもよいし、実際に使用しているネットワークスライスを基準にRAN通知エリアを選択してもよい。あるいは、UE２は、RAN通知エリア情報に含まれるネットワークスライスカテゴリ又はタイプのリストの上位に含まれるネットワークスライスを基準にRAN通知エリアを選択してもよい。
【００４７】
ネットワークスライスの個別情報（e.g., 識別子、カテゴリ又はタイプ）が明示されていないRAN通知エリア（デフォルトRAN通知エリア）が、前述のRAN通知エリア情報に含まれてもよい。この場合、例えば当該デフォルトRAN通知エリアは、ネットワークスライスに依らずにUE２に対して有効であるRAN通知エリアとされてもよいし、RAN通知エリア情報で明示的に通知されたネットワークスライスを除く他のネットワークスライスに対して有効であるRAN通知エリアとされてもよい。さらに、RAN通知エリア情報が複数のRAN通知エリアを含む場合、UE２はセル再選択後のセルが複数のRAN通知エリアの少なくともいずれか１つに含まれる限り、gNB１に位置情報の更新要求を送信しなくてもよい。
【００４８】
上述のRRCメッセージによる指示の代わりに、gNB１は、RRC_INACTIVE状態への遷移をトリガする所定のタイマの値をUE２に通知し、当該タイマの値及び対応するタイマに基づくRRC_INACTIVE状態への遷移をUE２に実行させてもよい。例えば、RRC_CONNECTED状態のUE２は、ユーザ・データの送信または受信を行う毎に当該タイマをリスタート（つまり、タイマをリセットし、再びスタート）し、タイマが満了したらRRC_INACTIVE状態へ遷移してもよい。
【００４９】
UE２は、さらに、RRC_INACTIVE状態でのULデータ送信を行うよう構成されている。すなわち、UE２は、UE２がRRC_INACTIVE状態であるときに、RRC_CONNECTED状態に入ること無くULデータを送信する手順（第１の送信手順）をサポートする。RRC_INACTIVE状態でのULデータ送信は、UE２がRRC_INACTIVE状態に留まったままでULデータを送信する手順により行われてもよい。さらに又はこれに代えて、RRC_INACTIVE状態でのULデータ送信は、UE２がRRC_CONNECTED状態になる前にULデータを送信する手順により行われてもよい。言い換えると、RRC_INACTIVE状態でのULデータ送信は、UE２が完全に（fully）RRC_CONNECTED状態に入ることなくULデータを送信する手順により行われてもよい。さらに言い換えると、RRC_INACTIVE状態でのULデータ送信は、UE２がRRC_INACTIVE状態からRRC_CONNECTED状態に遷移する手順の間に行われてもよい。
【００５０】
幾つかの実装において、UE２は、RRC_INACTIVE状態であるUE２がgrant-free無線リソースを使用してgNBからの個別のUL grantを必要とすることなくULデータ送信を行う手順を実行してもよい（例えば、非特許文献２に示された送信手順）。さらに又はこれに代えて、UE２は、ランダムアクセス手順の第３メッセージ（Message 3（Msg3））、つまりRRCメッセージ（e.g., RRC Connection Resume Request）と同時にULデータを送信する手順を実行してもよい（例えば、非特許文献３に示された送信手順）。
【００５１】
本実施形態に係るUE２（e.g., UE２内のコントローラ）は、RRC_INACTIVE状態でのULデータ送信がUE２に許可されるか否かを決定するために以下のように動作する。UE２（e.g., UE２内のコントローラ）は、もしUE２がRRC_INACTIVE状態であり、且つもしUE２がキャンプオンしている現在セル（i.e. サービングセル）がRRC_CONNECTED状態からRRC_INACTIVE状態への遷移が行われた第１のセルと異なり、且つもし現在セルが所定の条件を満たすなら、UE２が第１の送信手順によってULデータを現在セルにおいて送信することを許可する。当該第１の送信手順は、RRC_INACTIVE状態でのULデータ送信を提供する。すなわち、当該第１の送信手順では、UE２がRRC_CONNECTED状態にならずにULデータを送信する、又はUE２がRRC_CONNECTED状態になる前に（つまりRRC_CONNECTED状態への遷移が完了する前に）ULデータを送信する。
【００５２】
一方、UE２（e.g., UE２内のコントローラ）は、もし現在セル（サービングセル）が当該所定の条件を満たさないなら、当該第１の送信手順によって現在セルにおいてULデータを送信することを許可せず、第２の送信手順によってULデータを現在セルにおいて送信することを許可してもよい。当該第２の送信手順は、RRC_CONNECTED状態でのULデータ送信を提供する。すなわち、当該第２の送信手順では、UE２がRRC_INACTIVE状態からRRC_CONNECTED状態になった後に（つまりRRC_CONNECTED状態への遷移が完了した後に）ULデータを送信する。
【００５３】
図７は、UE２の動作の一例（処理７００）を示すフローチャートである。処理７００は、送信されるべきULデータがUE２にある場合に実行されてもよい。例えば、UE２のAccess Strutum (AS)レイヤが上位レイヤ（e.g., Non Access Strutum (NAS)レイヤ）からULデータを受け取った場合に、処理７００が実行されてもよい。ステップ７０１では、UE２内のコントローラは、UE２のRRC状態を判定する。もしUE２がRRC_INACTIVE状態であるなら、当該コントローラは現在セル（サービングセル）を判定する（ステップ７０２）。もし現在セルがRRC_CONNECTED状態からRRC_INACTIVE状態への遷移が行われた第１のセルと異なるなら、当該コントローラは、現在セルが所定の条件を満たすか否かを判定する（ステップ７０３）。もし現在セルが所定の条件を満たすなら、当該コントローラは、RRC_INACTIVE状態でのULデータ送信をUE２に許可する（ステップ７０４）。
【００５４】
一例では、現在セル（サービングセル）に関する所定の条件は、現在セルが第１のセルと同じgNBによって管理されているとの条件を含む。UE２内のコントローラは、現在セルが第１のセルと同じgNBによって管理されているか否かを判定するために、現在セルにおいて受信した現在セル又は現在セルを管理するgNBの識別子（e.g., global gNB ID, truncated gNB ID, or temporary gNB ID）を、第１のセル又は第１のセルを管理するgNBの識別子と比較してもよい。
【００５５】
RRC_CONNECTED状態からRRC_INACTIVE状態への遷移をUE２に指示したgNB１は、当該UE２のASコンテキストを保持している。したがって、もしこのgNB１により運用される他のセルにUE２が移動しても、gNB１は、自身で維持している当該UE２のASコンテキストを、当該UE２によるRRC_INACTIVE状態でのULデータ送信を支援するために利用できる。
【００５６】
他の例では、現在セルに関する所定の条件は、現在セルが、RRC_CONNECTED状態からRRC_INACTIVE状態へ遷移するときにUE２が第１のセルのgNBによって指定された（又は既に設定されていた）少なくとも１つの特定のセルに含まれるとの条件を含む。当該少なくとも１つの特定のセルは、RAN通知エリアを構成する少なくとも１つのセルのサブセットであってもよい。あるいは、当該少なくとも１つの特定のセルは、RAN通知エリアを構成する少なくとも１つのセルと同一であってもよい。あるいは、当該少なくとも１つの特定のセルは、第１のセルと同じgNBによって運用されるその他の１又はそれ以上のセルであってもよい。すなわち、一例において、RAN通知エリアは、１つのgNBによって運用される１又は複数のセルから構成されるエリアと同義でもよい。
【００５７】
さらに他の例では、現在セルに関する所定の条件は、現在セルが、RRC_CONNECTED状態からRRC_INACTIVE状態へ遷移するときにUE２が第１のセルのgNBによって指定された（又は既に設定されていた）RAN通知エリアとは別に設定される特定のエリアに含まれるとの条件を含む。当該特定のエリアは、例えばUE Context利用可能エリア（UE Context available Area: UCA）と呼ばれてもよい。当該UE Context利用可能エリアは、所定の識別子（e.g., UCA Identity）で規定されてもよい。この場合、当該識別子が、各セルにおいてシステム情報としてgNBから送信されてもよい。これに代えて、UE Context利用可能エリアは、１又はそれ以上のセルで規定されてもよい。UE２は、現在セルのUE Context利用可能エリアの識別子又はセル識別子が、設定されたUE Context利用可能エリアのそれに対応するか否かを判定すればよい。
【００５８】
現在セルに関する所定の条件は、ベアラ又はflow（i.e., PDU flow又はQoS flow）毎に異なってもよい。例えば、RAN通知エリアはUE毎（又はサービングセル単位）であるのに対し、上述のUE Context利用可能エリアはベアラ毎又はflow毎に設定されてもよい。
【００５９】
図８は、現在セルに関する所定の条件の判定処理の一例（処理８００）を示すフローチャートである。ステップ８０１では、UE２内のコントローラは、現在セルが第１のセルと同じgNBによって管理されているか否かを判定する。ステップ８０２では、もし現在セルが第１のセルと同じgNBによって管理されているなら、当該コントローラは、RRC_INACTIVE状態でのULデータ送信をUE２に許可する。
【００６０】
図９は、現在セルに関する所定の条件の判定処理の他の例（処理９００）を示すフローチャートである。ステップ９０１では、UE２内のコントローラは、現在セルが第１のセルのgNBによりUE２に対して指定された少なくとも１つの特定のセルに含まれるか否かを判定する。ステップ９０２では、もし現在セルが少なくとも１つの特定のセルに含まれるなら、当該コントローラは、RRC_INACTIVE状態でのULデータ送信をUE２に許可する。
【００６１】
上述のUE２内のコントローラにより行われる処理（e.g., 処理８００又は処理９００）は、UE２のASレイヤ（e.g., RRC, PDCP, RLC, or MACサブレイヤ）の処理であってもよい。さらに、当該コントローラにより行われる処理は、ASレイヤ内の複数のサブレイヤの処理であってもよい。
【００６２】
以下では、gNB１の動作の例を説明する。上述したように、一例において、gNB１は、RRC_CONNECTED状態にならずに又はRRC_CONNECTED状態になる前に（つまりRRC_CONNECTED状態への遷移が完了する前に）ULデータを送信する第１の送信手順がRRC_INACTIVE状態であるUE２に許可される少なくとも１つの特定のセルを示す設定情報を、UE２に送信してもよい。gNB１は当該設定情報を個別信号（e.g., dedicated RRC signaling）で送信してもよいし、自身のセル１１でシステム情報として送信（報知）してもよい。図１０は、gNB１の動作の一例（処理１０００）を示すシーケンス図である。ステップ１００１では、gNB１は、少なくとも１つの特定のセルを示す設定情報をUE２に送信する。gNB１は、当該gNB１によって運用されるセル１１においてUE２がRRC_CONNECTED状態からRRC_INACTIVE状態へ遷移するときに、当該設定情報をUE２に送信してもよい。
【００６３】
既に説明したように、gNB１によってUE２に指定される特定のセル（cell(s)）は、当該gNBによって運用される１又はそれ以上のセルであってもよい。この場合、特定のセル（cell(s)）を示す設定情報は、当該設定情報を送るgNB１によって運用される１又はそれ以上のセルを示すセルリストを含んでもよい。これにより、UE２は、特定のセル（cell(s)）の設定情報に基づいて、現在キャンプオンしているセル１１が最初のgNB１によって運用されているか否かを判定できる。幾つかの実装において、特定のセル（cell(s)）のリストは、ネイバーセルリストとしてgNB１からUE２に提供されてもよい。この場合、gNB１からUE２に送られるネイバーセルリストは、当該gNB１によって運用されるセルのみを示す第１のサブリスト、及び他のgNBsによって運用されるセルを示す第２のサブリストを含んでもよい。ネイバーセルリストが第１サブリスト及び第２のサブリストを含む場合、UE２は、たとえ明示的なgNB１の識別子が無かったとしても、第１のサブリストがgNB１のセルのみを構成要素として含むことを認識し、且つ第２のサブリストがgNB１以外の他のgNBのセルを構成要素として含むことを認識してもよい。例えば、UE２は、ネイバーセルリストの上位の情報要素（又は付与されるサブリストの識別子の値が大きい方）を第１のサブリストとして認識し、下位の情報要素（又は付与されるサブリストの識別子の値が小さい方）を第２のサブリストとして認識してもよい。
【００６４】
さらに又はこれに代えて、gNB１によってUE２に指定される特定のセル（cell(s)）は、UE２のためのRAN通知エリアを構成するセル（cell(s)）のサブセットであってもよい。。この場合、特定のセル（cell(s)）を示す設定情報は、RAN通知エリアに含まれる各セルが特定のセルであるか否かを示してもよい。
【００６５】
さらにまた、既に説明したように、一例において、gNB１は、第１の送信手順がRRC_INACTIVE状態であるUE２に許可されるセルをUE２に知らせるために、RAN通知エリアとは別の“特定のエリア”をUE２に設定してもよい。当該特定のエリアは、例えばUE Context利用可能エリア（UE Context available Area: UCA）と呼ばれてもよい。gNB１は、UE Context利用可能エリアに含まれる１又はそれ以上のセルを示す設定情報をUE２に送信してもよい。gNB１は、UE Context利用可能エリアに関する当該設定情報を個別信号（e.g., dedicated RRC signaling）で送信してもよいし、自身のセル１１でシステム情報として報知（broadcast）してもよい。
【００６６】
gNB１は、セル１１を提供するgNB１を特定し、且つUE２がgNB１を他のgNBと区別できるようにするために、自身の各セル１１においてgNB１の識別子（e.g., gNB ID, Truncated gNB ID, or Temporary network identity）を送信してもよい。gNB１の識別子は、システム情報（System Information（SI））において送信されてもよい。当該システム情報は、各セル１１でブロードキャストされるブロードキャスト・システム情報ブロックに含まれてもよい。これに代えて、当該システム情報は、UE２からの要求メッセージに応答して当該UE２に送信されるオンデマンド・システム情報ブロックに含まれてもよい。これにより、UE２は、自身がキャンプオンしているセル１１を提供するgNB１を特定し、これを他のgNBと区別することができる。
【００６７】
これに代えて、セル１１のセル識別子（e.g., Physical Cell ID、Physical Cell IDとCarrier frequency（e.g., ARFCN）、又はCell Global ID）が、当該セルを運用するgNB１を特定するために使用されてもよい。言い換えると、gNB１の識別子がセル１１のセル識別子内に埋め込まれてもよい。これにより、UE２は、自身がキャンプオンしているセル１１を提供するgNB１を当該セル１１のセル識別子に基づいて特定し、これを他のgNBと区別することができる。
【００６８】
さらに又はこれに代えて、gNB１が後述するCloud Radio Access Network（C-RAN）構成を有し、gNB１が１又は複数のTransmission Reception Point（TRP又はTRxP）を管理している場合、セル１１を形成するTRPの識別子（e.g., TRP ID）が当該TRPを運用するgNB１を特定するために使用されてもよい。言い換えると、gNB１の識別子がTRPのTRP識別子内に埋め込まれてもよい。
【００６９】
なお、ここで説明されたgNB１の識別子は、gNB１によって運用されている１又は複数のセルから成るエリアをUE２が知るために使用される。したがって、このgNB１の識別子は、gNB１によって運用されている１又は複数のセルから成るエリアを特定するための「エリア識別子」であると言うこともできる。すなわち、gNB１は、自身が運用する１又は複数のセルにおいてエリア識別子を送信する。UE２内のコントローラは、現在セルで受信したエリア識別子が第１のセルのそれと同じであるなら、RRC_INACTIVE状態でのデータ送信をUE２に許可してもよい。
【００７０】
以上の説明から理解されるように、本実施形態に係るUE２は、RRC_CONNECTED状態からRRC_INACTIVE状態への遷移が行われた第１のセルにおいてRRC_INACTIVE状態のまま送信すべきULデータが発生した場合、第１の送信手順によってULデータ送信を許可される。一方、もしUE２がRRC_INACTIVE状態であり、且つもしUE２がキャンプオンしている現在セル（サービングセル）がRRC_CONNECTED状態からRRC_INACTIVE状態への遷移が行われた第１のセルと異なり、且つもし現在セルが所定の条件を満たすなら、UE２が第１の送信手順によってULデータを現在セルにおいて送信することを許可する。これにより、UE２がRRC_INACTIVE状態でのULデータ送信を許可される状況を限定することができる。したがって、本実施形態は、UEがRRC_INACTIVE状態でのULデータ送信を適切な状況で行うことを可能にできる。
【００７１】
＜第２の実施形態＞
本実施形態は、第１の実施形態で説明されたUE２の動作の変形例を提供する。本実施形態の無線通信ネットワークの構成例は、図６と同様である。
【００７２】
本実施形態に係るUE２（e.g., UE２内のコントローラ）は、もしUE２がRRC_INACTIVE状態でセル再選択を実行し、且つもし現在セル（つまり、セル再選択のターゲットセル）がUE２に設定されたRAN通知エリアに属しておらず、且つUE位置情報の更新手順またはRAN通知エリアの更新手順が実行されていないなら、UE位置情報の登録手順またはRAN通知エリアの更新手順を行った後に上述の第１又は第２の送信手順による現在セルでのULデータの送信を許可するよう構成されている。UE２は、RAN通知エリア更新要求メッセージをgNB１に送信する。当該メッセージは、RRC_INACTIVEからRRC_CONNECTEDへの遷移を要求するRRCメッセージ（e.g., RRC Resume Requestメッセージ）を用いて送信されてもよい。gNB１がRAN通知エリア更新要求メッセージをUE２から受信した場合、gNB１は、RRC_INACTIVE状態に留まるようUE２に指示することもできるし、RRC_CONNECETD状態に入るよう指示することもできる。gNB１は、UE２をRRC_INACTIVE状態に留める場合に“RRC suspend”を示すRRC応答をUEに送り、UE２をRRC_CONNECTED状態に遷移させる場合に“RRC resume”を示すRRC応答をUE２に送る。これに代えて、UE２は、RRC_CONNECTEDに完全に遷移した後に、RAN通知エリア更新要求メッセージをgNB１に送信してもよい。これにより、UE２は、設定されたRAN通知エリア外のセルを再選択した場合に、まずRAN通知エリアの更新手順を実行する。したがって、本実施形態は、UE２がRRC_INACTIVE状態でのULデータ送信を行うセルがRAN通知エリア外であるために、gNB１がULデータの受信に成功しない状況を回避できる。
【００７３】
なお、UE２は、UE位置情報の登録手順またはRAN通知エリアの更新手順の完了メッセージ（e.g., RRC Connection Resume Complete）を用いてULデータを送信してもよい。言い換えると、UE２は、RANレベルのUE位置情報の登録手順内またはRAN通知エリアの更新手順内においてULデータを送信してもよい。
【００７４】
続いて以下では、上述の複数の実施形態に係るgNB１およびUE２の構成例について説明する。図１１は、上述の実施形態に係るgNB１の構成例を示すブロック図である。図１１を参照すると、gNB１は、Radio Frequencyトランシーバ１１０１、ネットワークインターフェース１１０３、プロセッサ１１０４、及びメモリ１１０５を含む。RFトランシーバ１１０１は、UE２を含むNG UEsと通信するためにアナログRF信号処理を行う。RFトランシーバ１１０１は、複数のトランシーバを含んでもよい。RFトランシーバ１１０１は、アンテナアレイ１１０２及びプロセッサ１１０４と結合される。RFトランシーバ１１０１は、変調シンボルデータをプロセッサ１１０４から受信し、送信RF信号を生成し、送信RF信号をアンテナアレイ１１０２に供給する。また、RFトランシーバ１１０１は、アンテナアレイ１１０２によって受信された受信RF信号に基づいてベースバンド受信信号を生成し、これをプロセッサ１１０４に供給する。RFトランシーバ１１０１は、ビームフォーミングのためのアナログビームフォーマ回路を含んでもよい。アナログビームフォーマ回路は、例えば複数の移相器及び複数の電力増幅器を含む。
【００７５】
ネットワークインターフェース１１０３は、ネットワークノード（e.g., 5G-CN４の制御ノード及び転送ノード）と通信するために使用される。ネットワークインターフェース１１０３は、例えば、IEEE 802.3 seriesに準拠したネットワークインターフェースカード（NIC）を含んでもよい。
【００７６】
プロセッサ１１０４は、無線通信のためのデジタルベースバンド信号処理（データプレーン処理）とコントロールプレーン処理を行う。プロセッサ１１０４は、複数のプロセッサを含んでもよい。例えば、プロセッサ１１０４は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）又はMicro Processing Unit（MPU））を含んでもよい。プロセッサ１１０４は、ビームフォーミングのためのデジタルビームフォーマ・モジュールを含んでもよい。デジタルビームフォーマ・モジュールは、Multiple Input Multiple Output（MIMO）エンコーダ及びプリコーダを含んでもよい。
【００７７】
メモリ１１０５は、揮発性メモリ及び不揮発性メモリの組み合わせによって構成される。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。メモリ１１０５は、プロセッサ１１０４から離れて配置されたストレージを含んでもよい。この場合、プロセッサ１１０４は、ネットワークインターフェース１１０３又は図示されていないI/Oインタフェースを介してメモリ１１０５にアクセスしてもよい。
【００７８】
メモリ１１０５は、上述の複数の実施形態で説明されたgNB１による処理を行うための命令群およびデータを含む１又はそれ以上のソフトウェアモジュール（コンピュータプログラム）１１０６を格納してもよい。いくつかの実装において、プロセッサ１１０４は、当該ソフトウェアモジュール１１０６をメモリ１１０５から読み出して実行することで、上述の実施形態で説明されたgNB１の処理を行うよう構成されてもよい。
【００７９】
図１２は、UE２の構成例を示すブロック図である。Radio Frequency（RF）トランシーバ１２０１は、gNB１と通信するためにアナログRF信号処理を行う。RFトランシーバ１２０１は、複数のトランシーバを含んでもよい。RFトランシーバ１２０１により行われるアナログRF信号処理は、周波数アップコンバージョン、周波数ダウンコンバージョン、及び増幅を含む。RFトランシーバ１２０１は、アンテナアレイ１２０２及びベースバンドプロセッサ１２０３と結合される。RFトランシーバ１２０１は、変調シンボルデータ（又はOFDMシンボルデータ）をベースバンドプロセッサ１２０３から受信し、送信RF信号を生成し、送信RF信号をアンテナアレイ１２０２に供給する。また、RFトランシーバ１２０１は、アンテナアレイ１２０２によって受信された受信ＲＦ信号に基づいてベースバンド受信信号を生成し、これをベースバンドプロセッサ１２０３に供給する。RFトランシーバ１２０１は、ビームフォーミングのためのアナログビームフォーマ回路を含んでもよい。アナログビームフォーマ回路は、例えば複数の移相器及び複数の電力増幅器を含む。
【００８０】
ベースバンドプロセッサ１２０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００８１】
例えば、ベースバンドプロセッサ１２０３によるデジタルベースバンド信号処理は、Packet Data Convergence Protocol（PDCP）レイヤ、Radio Link Control（RLC）レイヤ、MACレイヤ、およびPHYレイヤの信号処理を含んでもよい。また、ベースバンドプロセッサ１２０３によるコントロールプレーン処理は、Non-Access Stratum（NAS）プロトコル、RRCプロトコル、及びMAC CEの処理を含んでもよい。
【００８２】
ベースバンドプロセッサ１２０３は、ビームフォーミングのためのMIMOエンコーディング及びプリコーディングを行ってもよい。
【００８３】
ベースバンドプロセッサ１２０３は、デジタルベースバンド信号処理を行うモデム・プロセッサ（e.g., DSP）とコントロールプレーン処理を行うプロトコルスタック・プロセッサ（e.g., CPU又はMPU）を含んでもよい。この場合、コントロールプレーン処理を行うプロトコルスタック・プロセッサは、後述するアプリケーションプロセッサ１２０４と共通化されてもよい。
【００８４】
アプリケーションプロセッサ１２０４は、CPU、MPU、マイクロプロセッサ、又はプロセッサコアとも呼ばれる。アプリケーションプロセッサ１２０４は、複数のプロセッサ（複数のプロセッサコア）を含んでもよい。アプリケーションプロセッサ１２０４は、メモリ１２０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、UE２の各種機能を実現する。
【００８５】
幾つかの実装において、図１２に破線（１２０５）で示されているように、ベースバンドプロセッサ１２０３及びアプリケーションプロセッサ１２０４は、１つのチップ上に集積されてもよい。言い換えると、ベースバンドプロセッサ１２０３及びアプリケーションプロセッサ１２０４は、１つのSystem on Chip（SoC）デバイス１２０５として実装されてもよい。SoCデバイスは、システムLarge Scale Integration（LSI）またはチップセットと呼ばれることもある。
【００８６】
メモリ１２０６は、揮発性メモリ若しくは不揮発性メモリ又はこれらの組合せである。メモリ１２０６は、物理的に独立した複数のメモリデバイスを含んでもよい。揮発性メモリは、例えば、SRAM若しくはDRAM又はこれらの組み合わせである。不揮発性メモリは、MROM、EEPROM、フラッシュメモリ、若しくはハードディスクドライブ、又はこれらの任意の組合せである。例えば、メモリ１２０６は、ベースバンドプロセッサ１２０３、アプリケーションプロセッサ１２０４、及びSoC１２０５からアクセス可能な外部メモリデバイスを含んでもよい。メモリ１２０６は、ベースバンドプロセッサ１２０３内、アプリケーションプロセッサ１２０４内、又はSoC１２０５内に集積された内蔵メモリデバイスを含んでもよい。さらに、メモリ１２０６は、Universal Integrated Circuit Card（UICC）内のメモリを含んでもよい。
【００８７】
メモリ１２０６は、上述の複数の実施形態で説明されたUE２による処理を行うための命令群およびデータを含む１又はそれ以上のソフトウェアモジュール（コンピュータプログラム）１２０７を格納してもよい。幾つかの実装において、ベースバンドプロセッサ１２０３又はアプリケーションプロセッサ１２０４は、当該ソフトウェアモジュール１２０７をメモリ１２０６から読み出して実行することで、上述の実施形態で図面を用いて説明されたUE２の処理を行うよう構成されてもよい。
【００８８】
図１１及び図１２を用いて説明したように、上述の実施形態に係るgNB１及びUE２が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８９】
＜その他の実施形態＞
上述の実施形態で説明された5G-RAN３は、Cloud Radio Access Network（C-RAN）コンセプトに基づいて実装されてもよい。C-RANは、Centralized RANと呼ばれることもある。したがって、上述の実施形態で説明されたgNB１により行われる処理及び動作は、C-RANアーキテクチャに含まれるDigital Unit（DU）によって、又はDU及びRadio Unit（RU）の組み合せによって提供されてもよい。DUは、Baseband Unit（BBU）又はCentral Unit（CU）と呼ばれる。RUは、Remote Radio Head（RRH）、Remote Radio Equipment（RRE）、Distributed Unit（DU）、又はTransmission and Reception Point（TRP又はTRxP）とも呼ばれる。すなわち、上述の実施形態で説明された各gNB１によって行われる処理及び動作は、任意の１又は複数の無線局（又はRANノード）によって提供されてもよい。
【００９０】
上述した実施形態において、UE２は、さらに、UE２における送信すべきULデータのサイズ（e.g., PDCP SDUサイズ又は数、PDCPバッファ量）に応じて、又は送信すべきULデータの種別（e.g., traffic type, service type, QoS, use case）に応じて、どの手順によりULデータを送信するかを決定してもよい。例えば、UE２は、上述した実施形態において、第１の送信手順によるULデータ送信を行うことが許可されると判定した場合、さらにULデータのサイズ又はULデータの種別に関する所定の第２の条件を考慮してもよい。ULデータのサイズに関する第２の条件は、ULデータのサイズが所定の閾値より小さいこと、であってもよい。ULデータの種別に関する第２の条件は、ULデータが所定のものに相当すること、であってもよい。具体例として、UE２は、第２の条件が満たされる場合、第１の送信手順によるULデータ送信を行い、満たされない場合には第２の送信手順によるULデータ送信を行うようにしてもよい。なお、当該第２の条件は、予めgNB１からUE２へ設定されていてもよいし、各セルにてシステム情報として送信されていてもよい。後者の場合、UE２はセル再選択に応答して、当該システム情報を受信するようにしてもよい。さらに、当該第２の条件は、UE２がRRC_CONNECTED状態からRRC_INACTIVE状態に遷移したセルに滞在している場合と、当該セルからセル再選択を行って他のセルに移動した場合とで異なってもよい。言い換えると、RRC_INACTIVE状態でのセル再選択が行われている状況とRRC_INACTIVE状態でのセル再選択が行われていない状況を含む異なる状況のための異なる第２の条件がUE２に設定されてもよい。
【００９１】
上述の実施形態では、第１の送信手順の２つのオプションが提示された。第１のオプションでは、UE２はRRC_INACTIVE状態に留まったままでULデータを送信する。例えば、第１のオプションでは、RRC_INACTIVE状態であるUE２がgrant-free無線リソースを使用してgNBからの個別のUL grantを必要とすることなくULデータを送信してもよい（例えば、非特許文献２に示された送信手順）。これに対して、第２のプションでは、UE２は、RRC_INACTIVE状態からRRC_CONNECTED状態に遷移する手順の間にULデータを送信する。例えば、第２のオプションでは、UE２は、ランダムアクセス手順の第３メッセージ（Message 3（Msg3））、つまりRRCメッセージ（e.g., RRC Connection Resume Request）と同時にULデータを送信してもよい（例えば、非特許文献３に示された送信手順）。UE２は、第１のオプション及び第２のオプションの両方をサポートし、第１のオプションと第２のオプションのどちらを使用するかを所定の第３の条件に基づいて決定してもよい。第３の条件は、ULデータのサイズ（又は、バッファサイズ）が所定の閾値より小さいこと、であってもよい。具体的には、UE２は、ULデータのサイズが所定の閾値より小さい場合に第１のオプションを使用し、ULデータのサイズが所定の閾値より大きい場合に第２のオプションを使用してもよい。さらに又はこれに代えて、UE２は、現在セルでのシステム情報（e.g., explicit available indication, or Radio resource configuration for corresponding option）を受信し、どちらのオプションが許可されているか（又はサポートされているか）で判定してもよい。
【００９２】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００９３】
例えば、上記の実施形態の一部又は全部は、以下の付記のようにも記載され得るが、以下には限られない。
【００９４】
（付記１）
無線端末であって、
トランシーバと、
無線アクセスネットワーク（RAN）に関連付けられた１又は複数のセルで前記トランシーバを制御するよう構成された少なくとも１つのプロセッサと、
を備え、
前記少なくとも１つのプロセッサは、第１のRRC状態、第２のRRC状態、及び第３のRRC状態の間での前記無線端末の状態遷移を制御するよう構成され、
前記第１のRRC状態は、前記無線端末及び前記RANがアクセス層（Access stratum（AS））コンテキストを維持する状態であり、且つ前記無線端末の位置がセルのレベルで前記RANによって知られている状態であり、
前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態であり、
前記第３のRRC状態は、前記無線端末及び前記RANが前記ASコンテキストを解放している状態であり、且つ前記無線端末の位置が前記RANによって知られていない状態であり、
前記少なくとも１つのプロセッサは、さらに、もし前記無線端末が前記第２のRRC状態であり、且つもし前記無線端末がキャンプオンしている現在セルが前記第１のRRC状態から前記第２のRRC状態への遷移が行われた第１のセルと異なり、且つもし前記現在セルが所定の条件を満たすなら、前記無線端末が前記第１のRRC状態になる前にアップリンクデータを送信する第１の送信手順によって送信データを前記現在セルにおいて送信することを許可するよう構成されている、
無線端末。
【００９５】
（付記２）
前記所定の条件は、前記現在セルが前記第１のセルと同じ基地局によって管理されているとの条件を含む、
付記１に記載の無線端末。
【００９６】
（付記３）
前記少なくとも１つのプロセッサは、前記現在セルが前記第１のセルと同じ基地局によって管理されているか否かを判定するために、前記現在セルにおいて受信した前記現在セル又は前記現在セルを管理する基地局の識別子を、前記第１のセル又は前記第１のセルを管理する基地局の識別子と比較するよう構成されている、
付記２に記載の無線端末。
【００９７】
（付記４）
前記所定の条件は、前記現在セルが、前記第１のRRC状態から前記第２のRRC状態へ遷移するときに前記無線端末が前記第１のセルの基地局によって指定された少なくとも１つの特定のセルに含まれるとの条件を含む、
付記１〜３のいずれか１項に記載の無線端末。
【００９８】
（付記５）
前記少なくとも１つの特定のセルは、前記RAN通知エリアを構成する少なくとも１つのセルのサブセットである、
付記４に記載の無線端末。
【００９９】
（付記６）
前記少なくとも１つの特定のセルは、前記RAN通知エリアを構成する少なくとも１つのセルと同一である、
付記４に記載の無線端末。
【０１００】
（付記７）
前記少なくとも１つのプロセッサは、もし前記現在セルが前記所定の条件を満たさないなら、前記第１の送信手順によって前記現在セルにおいて送信することを許可せず、前記無線端末が前記第２のRRC状態から前記第１のRRC状態になった後にアップリンクデータを送信する第２の送信手順によって前記送信データを前記現在セルにおいて送信することを許可するよう構成されている、
付記１〜６のいずれか１項に記載の無線端末。
【０１０１】
（付記８）
前記少なくとも１つのプロセッサは、もし前記無線端末が前記第２のRRC状態であり、且つもし前記現在セルが前記RAN通知エリアに属しておらず、且つ前記RAN通知エリアの更新手順が実行されていないなら、前記更新手順を行った後に又は前記更新手順内において前記第１又は第２の送信手順による前記現在セルでの前記送信データの送信を許可するよう構成されている、
付記７に記載の無線端末。
【０１０２】
（付記９）
前記第１の送信手順では、前記無線端末は、前記第１のRRC状態に遷移すること無く前記送信データを送信する、
付記１〜８のいずれか１項に記載の無線端末。
【０１０３】
（付記１０）
前記第１の送信手順では、前記無線端末は、前記第２のRRC状態から前記第１のRRC状態に遷移する手順の間に、前記送信データを送信する、
付記１〜９のいずれか１項に記載の無線端末。
【０１０４】
（付記１１）
前記第１の送信手順では、前記無線端末は、前記第２のRRC状態に留まったままで前記送信データを送信する、
付記１〜９のいずれか１項に記載の無線端末。
【０１０５】
（付記１２）
前記RAN通知エリアは、前記無線端末が前記第２のRRC状態であるときにセル再選択によってセル間を移動しても前記セル再選択を前記RANに報告しなくてもよいエリアである、
付記１〜１１のいずれか１項に記載の無線端末。
【０１０６】
（付記１３）
無線アクセスネットワーク（RAN）に配置される基地局であって、
メモリと、
少なくとも１つのプロセッサと、
を備え、
前記少なくとも１つのプロセッサは、第１のRRC状態、第２のRRC状態、及び第３のRRC状態の間での無線端末の状態遷移を制御するよう構成され、
前記第１のRRC状態は、前記無線端末及び前記RANがアクセス層（Access stratum（AS））コンテキストを維持する状態であり、且つ前記無線端末の位置がセルのレベルで前記RANによって知られている状態であり、
前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態であり、
前記第３のRRC状態は、前記無線端末及び前記RANが前記ASコンテキストを解放している状態であり、且つ前記無線端末の位置が前記RANによって知られていない状態であり、
前記少なくとも１つのプロセッサは、さらに、前記第１のRRC状態になる前にアップリンクデータを送信する第１の送信手順が前記第２のRRC状態である前記無線端末に許可される少なくとも１つの特定のセルを示す設定情報を、前記無線端末に送信するよう構成されている、
基地局。
【０１０７】
（付記１４）
前記少なくとも１つのプロセッサは、前記基地局によって運用される第１のセルにおいて前記無線端末が前記第１のRRC状態から前記第２のRRC状態へ遷移するときに、前記設定情報を前記無線端末に送信するよう構成されている、
付記１３に記載の基地局。
【０１０８】
（付記１５）
前記少なくとも１つの特定のセルは、前記第１のセルと同じ前記基地局によって運用される少なくとも１つのセルであり、
前記設定情報は、前記基地局によって運用される少なくとも１つのセルを示すセルリストを含む、
付記１４に記載の基地局。
【０１０９】
（付記１６）
前記少なくとも１つの特定のセルは、前記RAN通知エリアを構成する少なくとも１つのセルのサブセットであり、
前記設定情報は、前記RAN通知エリアに含まれる各セルが前記少なくとも１つの特定のセルに含まれるか否かを示す、
付記１４に記載の基地局。
【０１１０】
（付記１７）
無線端末における方法であって、
第１のRRC状態、第２のRRC状態、及び第３のRRC状態の間での前記無線端末の状態遷移を制御すること、及び
もし前記無線端末が前記第２のRRC状態であり、且つもし前記無線端末がキャンプオンしている現在セルが前記第１のRRC状態から前記第２のRRC状態への遷移が行われた第１のセルと異なり、且つもし前記現在セルが所定の条件を満たすなら、前記無線端末が前記第１のRRC状態になる前にアップリンクデータを送信する第１の送信手順によって送信データを前記現在セルにおいて送信することを許可すること、
を備え、
前記第１のRRC状態は、前記無線端末及び無線アクセスネットワーク（RAN）がアクセス層（Access stratum（AS））コンテキストを維持する状態であり、且つ前記無線端末の位置がセルのレベルで前記RANによって知られている状態であり、
前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態であり、
前記第３のRRC状態は、前記無線端末及び前記RANが前記ASコンテキストを解放している状態であり、且つ前記無線端末の位置が前記RANによって知られていない状態である、
方法。
【０１１１】
（付記１８）
無線アクセスネットワーク（RAN）に配置される基地局における方法であって、
第１のRRC状態、第２のRRC状態、及び第３のRRC状態の間での無線端末の状態遷移を制御すること、及び
前記第１のRRC状態になる前にアップリンクデータを送信する第１の送信手順が前記第２のRRC状態である前記無線端末に許可される少なくとも１つの特定のセルを示す設定情報を、前記無線端末に送信すること、
を備え、
前記第１のRRC状態は、前記無線端末及び前記RANがアクセス層（Access stratum（AS））コンテキストを維持する状態であり、且つ前記無線端末の位置がセルのレベルで前記RANによって知られている状態であり、
前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態であり、
前記第３のRRC状態は、前記無線端末及び前記RANが前記ASコンテキストを解放している状態であり、且つ前記無線端末の位置が前記RANによって知られていない状態である、
方法。
【０１１２】
（付記１９）
無線端末における方法をコンピュータに行わせるためのプログラムであって、
前記方法は、
第１のRRC状態、第２のRRC状態、及び第３のRRC状態の間での前記無線端末の状態遷移を制御すること、及び
もし前記無線端末が前記第２のRRC状態であり、且つもし前記無線端末がキャンプオンしている現在セルが前記第１のRRC状態から前記第２のRRC状態への遷移が行われた第１のセルと異なり、且つもし前記現在セルが所定の条件を満たすなら、前記無線端末が前記第１のRRC状態になる前にアップリンクデータを送信する第１の送信手順によって送信データを前記現在セルにおいて送信することを許可すること、
を備え、
前記第１のRRC状態は、前記無線端末及び無線アクセスネットワーク（RAN）がアクセス層（Access stratum（AS））コンテキストを維持する状態であり、且つ前記無線端末の位置がセルのレベルで前記RANによって知られている状態であり、
前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態であり、
前記第３のRRC状態は、前記無線端末及び前記RANが前記ASコンテキストを解放している状態であり、且つ前記無線端末の位置が前記RANによって知られていない状態である、
プログラム。
【０１１３】
（付記２０）
無線アクセスネットワーク（RAN）に配置される基地局における方法をコンピュータに行わせるためのプログラムであって、
前記方法は、
第１のRRC状態、第２のRRC状態、及び第３のRRC状態の間での無線端末の状態遷移を制御すること、及び
前記第１のRRC状態になる前にアップリンクデータを送信する第１の送信手順が前記第２のRRC状態である前記無線端末に許可される少なくとも１つの特定のセルを示す設定情報を、前記無線端末に送信すること、
を備え、
前記第１のRRC状態は、前記無線端末及び前記RANがアクセス層（Access stratum（AS））コンテキストを維持する状態であり、且つ前記無線端末の位置がセルのレベルで前記RANによって知られている状態であり、
前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態であり、
前記第３のRRC状態は、前記無線端末及び前記RANが前記ASコンテキストを解放している状態であり、且つ前記無線端末の位置が前記RANによって知られていない状態である、
プログラム。
【０１１４】
この出願は、２０１７年１月５日に出願された日本出願特願２０１７−０００８０１を基礎とする優先権を主張し、その開示の全てをここに取り込む。
【符号の説明】
【０１１５】
１  gNodeB (gNB)
２  User Equipment (UE)
３  5G Radio Access Network（5G-RAN）
４  5G Core Network（5G-CN）
１１  セル
１１０１  RFトランシーバ
１１０４  プロセッサ
１１０５  メモリ
１２０１  RFトランシーバ
１２０３  ベースバンドプロセッサ
１２０４  アプリケーションプロセッサ
１２０６  メモリ
【図１】
2018128021.tif 000003
【図２】
2018128021.tif 000004
【図３】
2018128021.tif 000005
【図４】
2018128021.tif 000006
【図５】
2018128021.tif 000007
【図６】
2018128021.tif 000008
【図７】
2018128021.tif 000009
【図８】
2018128021.tif 000010
【図９】
2018128021.tif 000011
【図１０】
2018128021.tif 000012
【図１１】
2018128021.tif 000013
【図１２】
2018128021.tif 000014
【手続補正書】
【提出日】令和1年7月4日(2019.7.4)
【手続補正２】
【補正対象書類名】特許請求の範囲
【補正対象項目名】全文
【補正方法】変更
【補正の内容】
【特許請求の範囲】
【請求項１】
無線端末であって、
トランシーバと、
無線アクセスネットワーク（RAN）に関連付けられた１又は複数のセルで前記トランシーバを制御するよう構成された少なくとも１つのプロセッサと、
を備え、
前記少なくとも１つのプロセッサは、第１のRRC状態、第２のRRC状態、及び第３のRRC状態の間での前記無線端末の状態遷移を制御するよう構成され、
前記第１のRRC状態は、前記無線端末及び前記RANがアクセス層（Access stratum（AS））コンテキストを維持する状態であり、且つ前記無線端末の位置がセルのレベルで前記RANによって知られている状態であり、
前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態であり、
前記第３のRRC状態は、前記無線端末及び前記RANが前記ASコンテキストを解放している状態であり、且つ前記無線端末の位置が前記RANによって知られていない状態であり、
前記少なくとも１つのプロセッサは、さらに、もし前記無線端末が前記第２のRRC状態であり、且つもし前記無線端末がキャンプオンしている現在セルが前記第１のRRC状態から前記第２のRRC状態への遷移が行われた第１のセルと異なり、且つもし前記現在セルが所定の条件を満たすなら、前記無線端末が前記第１のRRC状態になる前にアップリンクデータを送信する第１の送信手順によって送信データを前記現在セルにおいて送信することを許可するよう構成されている、
無線端末。
【請求項２】
前記所定の条件は、前記現在セルが前記第１のセルと同じ基地局によって管理されているとの条件を含む、
請求項１に記載の無線端末。
【請求項３】
前記少なくとも１つのプロセッサは、前記現在セルが前記第１のセルと同じ基地局によって管理されているか否かを判定するために、前記現在セルにおいて受信した前記現在セル又は前記現在セルを管理する基地局の識別子を、前記第１のセル又は前記第１のセルを管理する基地局の識別子と比較するよう構成されている、
請求項２に記載の無線端末。
【請求項４】
前記所定の条件は、前記現在セルが、前記第１のRRC状態から前記第２のRRC状態へ遷移するときに前記無線端末が前記第１のセルの基地局によって指定された少なくとも１つの特定のセルに含まれるとの条件を含む、
請求項１〜３のいずれか１項に記載の無線端末。
【請求項５】
前記少なくとも１つの特定のセルは、前記RAN通知エリアを構成する少なくとも１つのセルと同一である、
請求項４に記載の無線端末。
【請求項６】
前記少なくとも１つのプロセッサは、もし前記現在セルが前記所定の条件を満たさないなら、前記第１の送信手順によって前記現在セルにおいて送信することを許可せず、前記無線端末が前記第２のRRC状態から前記第１のRRC状態になった後にアップリンクデータを送信する第２の送信手順によって前記送信データを前記現在セルにおいて送信することを許可するよう構成されている、
請求項１〜５のいずれか１項に記載の無線端末。
【請求項７】
前記少なくとも１つのプロセッサは、もし前記無線端末が前記第２のRRC状態であり、且つもし前記現在セルが前記RAN通知エリアに属しておらず、且つ前記RAN通知エリアの更新手順が実行されていないなら、前記更新手順を行った後に又は前記更新手順内において前記第１又は第２の送信手順による前記現在セルでの前記送信データの送信を許可するよう構成されている、
請求項６に記載の無線端末。
【請求項８】
前記第１の送信手順では、前記無線端末は、前記第１のRRC状態に遷移すること無く前記送信データを送信する、
請求項１〜７のいずれか１項に記載の無線端末。
【請求項９】
無線アクセスネットワーク（RAN）に配置される基地局であって、
メモリと、
少なくとも１つのプロセッサと、
を備え、
前記少なくとも１つのプロセッサは、第１のRRC状態、第２のRRC状態、及び第３のRRC状態の間での無線端末の状態遷移を制御するよう構成され、
前記第１のRRC状態は、前記無線端末及び前記RANがアクセス層（Access stratum（AS））コンテキストを維持する状態であり、且つ前記無線端末の位置がセルのレベルで前記RANによって知られている状態であり、
前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態であり、
前記第３のRRC状態は、前記無線端末及び前記RANが前記ASコンテキストを解放している状態であり、且つ前記無線端末の位置が前記RANによって知られていない状態であり、
前記少なくとも１つのプロセッサは、さらに、前記第１のRRC状態になる前にアップリンクデータを送信する第１の送信手順が前記第２のRRC状態である前記無線端末に許可される少なくとも１つの特定のセルを示す設定情報を、前記無線端末に送信するよう構成されている、
基地局。
【請求項１０】
無線端末における方法であって、
第１のRRC状態、第２のRRC状態、及び第３のRRC状態の間での前記無線端末の状態遷移を制御すること、及び
もし前記無線端末が前記第２のRRC状態であり、且つもし前記無線端末がキャンプオンしている現在セルが前記第１のRRC状態から前記第２のRRC状態への遷移が行われた第１のセルと異なり、且つもし前記現在セルが所定の条件を満たすなら、前記無線端末が前記第１のRRC状態になる前にアップリンクデータを送信する第１の送信手順によって送信データを前記現在セルにおいて送信することを許可すること、
を備え、
前記第１のRRC状態は、前記無線端末及び無線アクセスネットワーク（RAN）がアクセス層（Access stratum（AS））コンテキストを維持する状態であり、且つ前記無線端末の位置がセルのレベルで前記RANによって知られている状態であり、
前記第２のRRC状態は、前記無線端末及び前記RANが前記ASコンテキストの少なくとも一部を維持する状態であり、且つ前記無線端末の位置が前記RANにより設定されたRAN通知エリアのレベルで前記RANによって知られている状態であり、
前記第３のRRC状態は、前記無線端末及び前記RANが前記ASコンテキストを解放している状態であり、且つ前記無線端末の位置が前記RANによって知られていない状態である、
方法。
【国際調査報告】
2018128021.tif 000015
2018128021.tif 000016